(57)【特許請求の範囲】
【請求項１】
容器体２に押し下げヘッド式のポンプ３を装着して構成するとともに、容器体上部に突出した押し下げヘッド６を押し下げることにより、容器体内の液を吸い上げてヘッドの噴出口より噴出する如く構成した液体噴出容器に於いて、上記押し下げヘッド６を被覆して装着させた噴出キャップ４を設けてなり、該噴出キャップ４は、上記容器体の胴部５上端に周壁１２下端部を嵌合させて装着した下端面開口の筒状をなすとともに、頂壁１３から後部周壁１２ａ  に至る帯状の切欠き部１４を設け、且つ、前部周壁１２ｂ  に液噴出用の窓孔１５を穿設してなるキャップ本体９と、該本体９の前部周壁１２ｂ  内面上部に薄肉ヒンジ１７を介して先端部を一体に連結して後方へ上下揺動可能に延設するとともに、下面より上記押し下げヘッド６上面を押し下げる押圧突起１８を突設してなる揺動板１０と、該揺動板１０上面に所定幅の後方引き出しが可能で且つ抜け出し不能に嵌合させた頂板部２０を上記切欠き部１４内へ押し下げ可能に収納するとともに、頂板部２０後端縁より下方に指挿入用の隙間をあけて垂壁部２１を延設し、且つ該垂壁部２１両端を切欠き部１４両側のキャップ本体周壁１２部分に後方への抜け出しが可能で且つ押し下げが不能に係止させたレバー１１とから構成したことを特徴とする液体噴出容器。
【請求項２】
上記押し下げヘッド６を容器体前部偏心位置より突出させてなる請求項１記載の液体噴出容器。
【発明の詳細な説明】
【０００１】
【産業上の利用分野】
本発明は液体噴出容器に関する。
【０００２】
【従来の技術】
液体噴出容器として、容器体上端より上方付勢状態で上下動可能に突設した押し下げヘッドを設けてなり、該ヘッドを押し下げることにより、内部のポンプ機構の作用で容器体内の液を吸い上げ、ヘッドの噴出口より噴出する如く構成したものが知られている。
【０００３】
これら容器は一般に、容器体胴部上端に周壁下端部を着脱可能に嵌着させて、上記押し下げヘッドを被覆するキャップを装着しており、使用時にはこのキャップを外して使用している。
【０００４】
【発明が解決しようとする課題】
このキャップの存在により、非使用時にはヘッド周辺への埃等の付着の防止を行えるとともに、誤ってヘッドを押し下げることにより不必要な液を漏出させるという不都合を防止できるものである。
【０００５】
しかしながら、これらキャップは使用時にいちいち取り外さなければならず、取り外したキャップを紛失したり置き場所に困る等の不便がある。
【０００６】
また、ヘッドが小さいものにあっては、ヘッドを指で押しさげて液を噴出させる場合に、噴出液が指に付着してしまうという不都合を生じる場合もある。
【０００７】
そこで、本発明では、非使用時には誤ってヘッドを押し下げるということがなく、しかも使用の際にはより小さな力でヘッドを押し下げることができて液の注出を容易に行えるとともに、ヘッド等が小さくても直接ヘッドを押し下げないために噴出した液が手に付着する等の不都合を防止でき、また、構造も簡単で安価に製造できるとともに、その液噴出操作も簡単に行える液体噴出容器を提案するものである。
【０００８】
【課題を解決するための手段】
本請求項１発明容器は上記課題を解決するため、容器体２に押し下げヘッド式のポンプ３を装着して構成するとともに、容器体上部に突出した押し下げヘッド６を押し下げることにより、容器体内の液を吸い上げてヘッドの噴出口より噴出する如く構成した液体噴出容器に於いて、上記押し下げヘッド６を被覆して装着させた噴出キャップ４を設けてなり、該噴出キャップ４は、上記容器体の胴部５上端に周壁１２下端部を嵌合させて装着した下端面開口の筒状をなすとともに、頂壁１３から後部周壁１２ａ  に至る帯状の切欠き部１４を設け、且つ、前部周壁１２ｂ  に液噴出用の窓孔１５を穿設してなるキャップ本体９と、該本体９の前部周壁１２ｂ  内面上部に薄肉ヒンジ１７を介して先端部を一体に連結して後方へ上下揺動可能に延設するとともに、下面より上記押し下げヘッド６上面を押し下げる押圧突起１８を突設してなる揺動板１０と、該揺動板１０上面に所定幅の後方引き出しが可能で且つ抜け出し不能に嵌合させた頂板部２０を上記切欠き部１４内へ押し下げ可能に収納するとともに、頂板部２０後端縁より下方に指挿入用の隙間をあけて垂壁部２１を延設し、且つ該垂壁部２１両端を切欠き部１４両側のキャップ本体周壁１２部分に後方への抜け出しが可能で且つ押し下げが不能に係止させたレバー１１とから構成したことを特徴とする液体噴出容器として構成した。
【０００９】
また、請求項２発明容器は、上記押し下げヘッド６を容器体前部偏心位置より突出させてなる請求項１記載の液体噴出容器として構成した。
【００１０】
【作用】
図１の状態では、レバー１１の垂壁部２１両端がキャップ本体周壁１２に設けた係合凹部１６に係止されて揺動板１０の押し下げが出来ないようになっている。
【００１１】
使用の際は、垂壁部２１下部の隙間から垂壁部２１内面に指を掛けてレバー１１を一旦後方へ引き出して係合凹部１６による垂壁部２１の係止を解除し、しかる後、レバー１１を押し下げれば揺動板１０も薄肉ヒンジ１７を中心として回動し、その押圧突起１８によりヘッド６を押し下げることから、容器体２内の液がノズル８先端より窓孔１５を介して噴出する。
【００１２】
【実施例】
以下、本発明の実施例を図面を参照して説明する。
【００１３】
図１乃至図３は本発明の一実施例を示すもので、図中１は液体噴出容器を示す。該容器１は、容器体２と、押し下げヘッド式のポンプ３と、噴出キャップ４とを備えている。
【００１４】
容器体２は、筒状の胴部５上端より口頚部（図示せず）を起立させて構成いる。本実施例では、口頚部を胴部５前部より突設させて、装着したポンプ３の押し下げヘッド６が前部偏心位置に突出する如く構成しており、この様にすることにより、例えば噴出する液が容器体等に不用意にかかる等の不都合を極力防止できる。
【００１５】
押し下げヘッド式のポンプ３は、公知のポンプ機構を内蔵したもので、上端に上方付勢状態で上下動可能に押し下げヘッド６を突出させており、口頚部外周に螺着等の方法で装着キャップ７を固定させることにより、容器体に装着させている。そして、ヘッド６を押し下げることにより、内部のポンプ機構の作用で容器体内の液を吸い上げ、ヘッド６先端のノズル８より噴出する如く構成している。
【００１６】
尚、このポンプ３は従来のこの種容器に使用されているポンプで有れば使用できる。
【００１７】
噴出キャップ４は、キャップ本体９と、該本体９と一体に形成された揺動板１０と、レバー１１とから構成している。
【００１８】
キャップ本体９は、容器体胴部５上端に周壁１２下端部を嵌合させて装着した下端面開口の筒状をなすとともに、頂壁１３から後部周壁１２ａ  に至る帯状の切欠き部１４を設け、且つ、前部周壁１２ｂ  に液噴出用の窓孔１５を穿設して構成している。
【００１９】
本実施例に於いてキャップ本体９は、前後方向に長い矩形筒状をなす周壁１２上端より頂壁１３を延設し、また頂壁１３前部から後端に至り、後部周壁１２ａ  の上下方向中央部に至る帯状の切欠き部１４を穿設している。この切欠き部１４は、両側に周壁の肉厚程度の幅を残した幅広に構成している。
【００２０】
また、前部周壁１２ｂ  の中央上部を縦長矩形状にやや後方へ凹ませて、そこに縦長矩形状の窓孔１５を穿設している。この窓孔１５は、ヘッド６が最上昇位置にある場合のノズル８突出位置から、ヘッドが最下降位置にある場合のノズル８突出位置までの縦幅を有しており、従って、ヘッド６が押し下げられてノズル８先端が移動して液の噴出位置が変移しても該窓孔１５より確実に噴出される如く構成している。
【００２１】
また、切欠き部１４両側のキャップ本体周壁１２後端部上端に上面及び後面開口の一対の係合凹部１６を形成している。
【００２２】
そして、周壁１２内面下端部に周設した突条を、容器体胴部５上端外周に周設した凹溝内に嵌合させて噴出キャップ４を容器体２に装着している。
【００２３】
揺動板１０は、上記キャップ本体の前部周壁１２ｂ  内面上部に薄肉ヒンジ１７を介して先端部を一体に連結して後方へ上下揺動可能に延設するとともに、下面より上記押し下げヘッド６上面を押し下げる押圧突起１８を突設している。
【００２４】
本実施例では、揺動板１０は前後方向に長い矩形板状をなし、その前部下面両側から、逆台形板状をなす一対の押圧突起１８，１８を一体に垂設しており、各押圧突起１８の下面を押し下げヘッド６の上面に当接させている。
【００２５】
また、揺動板１０の後部中央にはレバー１１の後述する摺動突起が嵌合する前後に長い案内孔１９を穿設している。
【００２６】
レバー１１は、上記揺動板１０上面に所定幅の後方引き出しが可能で且つ抜け出し不能に嵌合させた頂板部２０を、上記切欠き部１４内へ押し下げ可能に収納するとともに、頂板部２０後端縁より下方に指挿入用の隙間をあけて垂壁部２１を延設し、該垂壁部２１両端を上記切欠き部１４両側の本体周壁１２部分に後方への抜け出しが可能で且つ押し下げが不能に係止させている。
【００２７】
本実施例に於いてレバー１１は、上記本体頂壁１３部分の切欠き部１４内に略充満する大きさの矩形板状をなす頂板部２０を有しており、この頂板部２０下面の前部所定位置に一対の係止突起２２，２２を垂設している。各係止突起２２は、揺動板１０側面から下面縁部に至る部分に係合可能な、正面視Ｌ字形及び逆Ｌ字形をなす鉤型突条で、各係止突起２２を揺動板１０の両側に係合させるとともに、頂板部２０下面を揺動板１０上面に当接させて前後方向のスライドが可能に且つ上方への抜け出しが不能に嵌合させている。
【００２８】
また、頂板部２０下面中央所定位置より垂設した円柱状の摺動突起２３を上記案内孔１９先端部に摺動可能に嵌合させて、この摺動突起２３が案内孔１９の前端から後端に至る間の所定幅を前後スライド可能に構成している。
【００２９】
また、頂板部２０後端縁より下方へ、本体後部周壁１２ａ  部分に形成した切欠き部１４ｂ  内上部に垂壁部２１を垂設している。この垂壁部２１両端からは係止突起２４，２４を突設し、各突起２４を上記各係合凹部１６に係止させて、後方への引き出しは可能であるが、下方への押し込みは不能に構成している。
【００３０】
また、垂壁部２１下方には少なくとも指が挿入可能な程度の隙間をあけて、そこから挿入した指を垂壁部２１裏面に掛けてレバー１１を後方へ引き出せる如く構成している。更に、頂板部２０と垂壁部２１とには一対のリブ２５を一体に掛け渡している。
【００３１】
尚、本発明は上記した実施例に限定されるものではなく、本発明の要旨を変えることのない範囲で、その構造等は適宜変更できる。例えば、キャップ本体は上記した矩形筒状のものに限らず、円筒状，多角筒状等その他の筒状であっても良く、また、切欠き部１４の幅は上記実施例の如く、頂壁１３の略全体の幅を有せずに両側に頂壁を残す如き幅であっても良い。
また、上記各部材は合成樹脂等により形成すると良い。
【００３２】
【発明の効果】
以上説明した如く本発明によれば、レバーを後方へ引き出して押し下げることにより液の噴出が行えるため、従来品の如くキャップを取り外す必要がなく、取り外したキャップの置場に困ったり、取り外したキャップを紛失するという不都合を生じることはない。
【００３３】
また、レバーの引き出しによりヘッドの押し下げに必要な力が少なくて済み、液の噴出をより簡単に行えるとともに、押し下げヘッドを直接押し下げることがないため、手が噴出した液で汚れるという不都合を生じることもない。
【００３４】
また、非使用時のレバーが最前部にある状態では、レバー後端の垂壁部両端がキャップ本体の周壁部分に係止されて押し下げが出来ないため、誤ってレバーを押し下げるという不都合を防止できるものであり、液の不用意な漏出を防止できるものである。
【００３５】
また、既存の容器に噴出キャップを装着することにより形成できるため生産効率が良く、噴出キャップの構造も簡単であるため、安価に製造することが出来るという利点も兼ね備えている。
【００３６】
また、請求項２発明の噴出容器では、レバーの押し下げによるヘッドの押し下げ効率が良く、より容易にヘッドの押し下げを行えるとともに、噴出口が窓孔により近接するため、噴出液の噴出目的部位への確実な噴出を行えるものである。
【図面の簡単な説明】
【図１】本発明の一実施例を示す一部切欠き側面図である。
【図２】同実施例の噴出キャップを示す分解斜視図である。
【図３】同実施例のレバーを押し下げた状態の一部切欠き側面図である。
【符号の説明】
２…容器体，３…ポンプ，４…噴出キャップ，５…胴部，
６…押し下げヘッド，９…キャップ本体，１０…揺動板，１１…レバー，
１２…周壁，１２ａ  …後部周壁，１２ｂ  …前部周壁，１３…頂壁，１４…切欠き部，
１５…窓孔，１７…薄肉ヒンジ，１８…押圧突起，２０…頂板部，２１…垂壁部
【図１】
0003616420.tif 000002
【図２】
0003616420.tif 000003
【図３】
0003616420.tif 000004